(57)【要約】【課題】化粧カバーの下側にある下部枠とユニット箱体との間にできる隙間を防止するとともに、ねじを使用しないで下部枠を固定することにより、ねじの頭部を遮蔽する余分なカバー部材を省略する。【解決手段】空気吸込み口を設けたフロントパネルを開閉可能に装着した化粧カバーを有する空気調和機の室内ユニットにおいて、化粧カバーの化粧枠本体をユニット箱体に固定するねじの個定位置を、開閉可能に装着したフロントパネルで遮蔽される化粧枠本体の面に設けるとともに、化粧枠本体の下側に設けた空気吹出し口の下の下部枠を所定の位置に固定するために、ねじを使用しないで、ユニット箱体の前面および露受皿の底面から突出させた支柱で下部枠を所定の位置に固定した。【選択図】  図３
2004183988.tif 000002
【特許請求の範囲】
【請求項１】
空気吸込み口を設けたフロントパネルを開閉可能に装着した化粧カバーを有する空気調和機の室内ユニットにおいて、化粧カバーの化粧枠本体をユニット箱体に固定するねじの固定位置を、開閉可能に装着したフロントパネルで遮蔽される化粧枠本体の面に設けた空気調和機。
【請求項２】
熱交換器及びファンを搭載したユニット箱体と、このユニット箱体に搭載されたものを覆う化粧枠本体とを備えた空気調和機において、前記化粧枠本体の下側に設けた空気吹出し口の下の下部枠と、前記ユニット箱体前面下部とを係合する係合部と、露受皿の底面から突出され、前記化粧枠本体の下部枠及び前記ユニット箱体下部とに当接する支柱とを備えた空気調和機。
【請求項３】
空気吸込み口を設けたフロントパネルを開閉可能に装着した化粧カバーを有する空気調和機の室内ユニットにおいて、化粧カバーの化粧枠本体をユニット箱体に固定するねじの固定位置を、開閉可能に装着したフロントパネルで遮蔽される化粧枠本体の面に設けるとともに、化粧枠本体の下側に設けた空気吹出し口の下の下部枠を所定の位置に固定するために、ねじを使用しないで、ユニット箱体の前面および露受皿の底面から突出させた支柱で下部枠を所定の位置に固定した空気調和機。
【請求項４】
請求項３において、化粧枠本体の下側に設けた空気吹出し口の下の下部枠において、下部枠の断面形状を概略Ｌ字状にするとともに、概略Ｌ字状をした下部枠のそれぞれの端面から下部枠の後部に係合リブを設け、下部枠と当接するユニット本体側に係合リブを受ける受け溝を設け、それぞれの係合リブとそれぞれの受け溝を係合させた空気調和機。
【請求項５】
請求項３において、化粧枠本体の下部枠を所定の位置に保持するため露受皿の底面から突出させた支柱において、支柱の先端部に下部枠の形状に合わせた枠押えを設けて、ねじを使用しないで下部枠を所定の位置に固定するようにした空気調和機。
【請求項６】
請求項３において、化粧枠本体の下部枠を所定の位置に保持するため露受皿の底面から突出させた支柱において、支柱の先端部にユニット箱体に設けた支柱受けを抱え込む支柱固定部を設け、さらにその先端に係合突起を設けてユニット箱体から突出させた弾性突起に係合させて、ねじを使用しないで露受皿の底面から突出させた支柱を所定の位置に固定させた空気調和機。
【請求項７】
請求項３において、露受皿の底面に左右風向偏向板および上下風向偏向板を組み込むとともに、下部枠を所定の位置に保持するための枠押えを設けた支柱を有する露受皿において、化粧カバーの化粧枠本体を固定しているねじを外すことにより、他の道具を使用しないで左右風向偏向板および上下風向偏向板を組み込んだ露受皿を取り外せるようにした空気調和機。
【発明の詳細な説明】
【０００１】
【発明の属する技術分野】
本発明は空気調和機の化粧カバーに係り、特に空気調和機の室内ユニットへの化粧カバーの固定に関する。
【０００２】
【従来の技術】
空気調和機の室内ユニットは室内の壁面に据え付けて使用されるため、室内に配置してある家具や調度品と違和感なく調和するように考慮されるとともに、空気調和機がもつ機械的なイメージを軽減するように考慮されてきた。そのため室内ユニットの表面を被う主たる部品である化粧カバーの表面意匠に種々の工夫が施され、室内に配置された家具や調度品と違和感なく調和するように、化粧カバーの表面デザインを板状に単純化したり、化粧カバーを取り付けるねじ等が外部表面から見えなくなるように工夫されてきた。
【０００３】
その一例として、特開２０００−１９３２６７号公報（特許文献１）が開示されている。同公報によれば、化粧カバーの下側に設けた空気吹出し口の下部枠の一部にねじ孔を有する凹部を設けて、そのねじ孔を使用して空気吹出し口の下部枠を室内ユニット本体にねじで固定している。しかしそのままではねじの頭部が外部表面に露出して室内の家具や調度品と調和しないので、化粧カバーと別個に成形したねじの頭部を遮蔽するカバー部材を製作して、ねじを締めつけた下部枠の凹部にはめ込み、外部表面からねじの頭部が見えないように遮蔽している。
【０００４】
【特許文献１】
特開２０００−１９３２６７号公報（図１及び図２）
【０００５】
【発明が解決しようとする課題】
上記従来の技術は、カバー部材を別個に製作するには、カバー部材を成形するための成形金型を別個に作らなければならないので、その分製品価格を高くすることになる。また下部枠を締めつけたねじの頭部が外部表面から遮蔽するため、ねじを締めつけた下部枠の凹部にカバー部材を意匠部品として正確に嵌合させなければならないので、成形金型の製作精度を向上させる必要があり、成形金型の製作技術の面でも製品価格を高くすることになる。またねじの頭部を遮蔽する程度の小さな部品であるカバー部材も、外観意匠を構成する意匠部品となるため、大きな部品である化粧カバーの色調と色調を一致させなければならず、成形技術の面でも高度な技術が要求されるので、部品価格が高くなり、製品価格を高くする要因になっている。さらに部品点数が増加することにより部品管理や工程管理が複雑になるとともに、ねじを固定した下部枠の凹部にカバー部材を挿入するという作業が加わり、組立て作業性の面からもの製品価格を高く押しあげる要因を持っていた。
【０００６】
以上説明したように、空気調和機の室内ユニットを室内に配置してある家具や調度品と違和感なく調和させるための工夫の一つとして、化粧カバーのねじ固定部にねじ固定用の凹部を設けて、そのねじ固定用の凹部を使用して化粧カバーをユニット本体とねじで固定し、ねじの頭部が外観表面から見えないように遮蔽するため、化粧カバーとは別個に成形したねじ固定用の凹部に係合するカバー部材用意し、ねじ固定用の凹部に係合させてねじの頭部を遮蔽する方法があった。
【０００７】
しかしこの場合にはカバー部材を別個に成形するため、カバー部材を成形する金型を別個に製作する必要があり、またねじを固定したねじ固定用の凹部に隙間なく挿入させるためカバー部材の精度を高く製作する必要があり、また大きな部品である化粧カバーの色調とねじの頭部を遮蔽する程度の小さな部品であるカバー部材の色調を違和感なく一致させる必要があった。さらに部品点数が増加することにより部品管理が複雑になるとともに、下部枠のねじを固定した凹部にカバー部材を挿入するという作業が加わり、製品の組立て効率の面からも効率を阻害する要因になっていた。
【０００８】
別個に成形金型を製作するために製品価格が高くなるばかりでなく、精度の高い成形金型を作るため、あるいは色調を一致させる高い成形技術を必要とするため、また部品数が増えるため部品管理や工程管理の手数が増加し、製品を組み立てる時の作業効率が阻害されるので、これらの要因によりさらに製品価格を高く押しあげていた。
【０００９】
また、空気調和機は、熱交換器及びファンを搭載したユニット箱体と、このユニット箱体に搭載されたものを覆う化粧枠本体とを備えているが、ユニット箱体に化粧枠本体を取り付ける際、化粧枠本体の下側に設けた空気吹出し口の下の下部枠と、ユニット箱体前面下部との係合がうまくいかず、隙間が発生し、見栄えが悪くなるという問題があった。
【００１０】
本発明の目的は、化粧枠を取り付けているねじを遮蔽するカバー部材を省略することである。
【００１１】
本発明の他の目的は、熱交換器及びファンを搭載したユニット箱体と、このユニット箱体に搭載されたものを覆う化粧枠本体とを備えた空気調和機において、化粧枠本体の下側に設けた空気吹出し口の下の下部枠と、ユニット箱体前面下部との係合部で隙間の発生を低減する空気調和機を提供することにある。
【００１２】
【課題を解決するための手段】
上記目的は、空気吸込み口を設けたフロントパネルを開閉可能に装着した化粧カバーを有する空気調和機の室内ユニットにおいて、化粧カバーの化粧枠本体をユニット箱体に固定するねじの固定位置を、開閉可能に装着したフロントパネルで遮蔽される化粧枠本体の面に設けることによって達成される。
【００１３】
上記他の目的は、熱交換器及びファンを搭載したユニット箱体と、このユニット箱体に搭載されたものを覆う化粧枠本体とを備えた空気調和機において、前記化粧枠本体の下側に設けた空気吹出し口の下の下部枠と、前記ユニット箱体前面下部とを係合する係合部と、露受皿の底面から突出され、前記化粧枠本体の下部枠及び前記ユニット箱体下部とに当接する支柱とを備えることにより達成される。
【００１４】
また、上記両目的は、空気吸込み口を設けたフロントパネルを開閉可能に装着した化粧カバーを有する空気調和機の室内ユニットにおいて、化粧カバーの化粧枠本体をユニット箱体に固定するねじの固定位置を、開閉可能に装着したフロントパネルで遮蔽される化粧枠本体の面に設けるとともに、化粧枠本体の下側に設けた空気吹出し口の下の下部枠を所定の位置に固定するために、ねじを使用しないで、ユニット箱体の前面および露受皿の底面から突出させた支柱で下部枠を所定の位置に固定することによって達成される。
【００１５】
【発明の実施の形態】
以下、本発明の詳細について一実施例を図により説明する。
【００１６】
図１は本発明による空気調和機の室内ユニットの外観図、図２は室内ユニットの一実施例における側断面図、図３は下部枠と支柱とユニット箱体との係合部説明図、図４は下部枠とユニット箱体との係合部説明図、図５は支柱とユニット箱体との係合部説明図、図６は支柱先端部の外観図、図７は露受皿に風向偏向板を組み込んだ説明図である。
【００１７】
図１において、１は室内ユニット、２はユニット組品、３は化粧カバー、４はユニット組品の主体部品であるユニット箱体、５は化粧カバーの主体部品である化粧枠本体、６は開閉可能なフロントパネル、７はフロントパネル６に設けられた室内空気の空気吸込み口、８は化粧枠本体５の下側に設けられた空気吹出し口、９は空気吹出し口８の下部に設けられた下部枠を示している。
【００１８】
図２は室内ユニットの一実施例における側断面図で、室内ユニット１は空気調和機の冷凍部品や送風機、電気品等を組み込んだユニット組品２と、室内ユニット１の正面の外観意匠部品となる化粧カバー３に分けることができる。そしてユニット組品２には一般的に樹脂で成形されたユニット箱体４の中に、室内空気と熱交換する熱交換器１０、室内空気を吸い込み、そして熱交換器１０で熱交換した室内空気を室内ユニット１の外部に送り出す送風機１１、電気品類（明示せず）、送風機１１で送り出す風の流れを案内する送風路１２、および空気吹出し口８に設けた左右風向偏向板１５、上下風向偏向板１６等が組み込まれている。
【００１９】
一方化粧カバー３は、空気吸込み口７を有するフロントパネル６が開閉可能に化粧枠本体５に組み込まれ、化粧枠本体５のフロントパネル６の空気吸込み口７に対応する位置にエアフィルター１７が装着されている。そして化粧枠本体５の下側には化粧枠本体５のほぼ全幅にわたって空気吹出し口８が設けられているので、化粧枠本体５の最下部に相当する空気吹出し口８の下の下部枠９は細長い棒状の構造をしている。フロントパネル６は通常の使用状態では図２の位置（ｂ）に示す位置で使用することになるが、室内空気中の塵埃を取り除いて汚れたエアフィルター１７を取り外すときには、回転支軸１８を支点にして位置（ａ）に開放することによりエアフィルター１７を容易に取り外すことができるようになっている。
【００２０】
室内ユニット１の電源を入れることにより送風機１１が回転し、室内空気がフロントパネル６の空気吸込み口７を通して室内ユニット１内に吸い込まれる。室内ユニット１内に吸い込まれた室内空気はエアフィルター１７で空気中の塵埃が取り除かれ、ついで熱交換器１０で熱交換して空気の温度が調和されるとともに空気中の水分が除湿される。温湿度を調和された空気は送風機１１を貫流して送風路１２に送り出され、空気吹出し口８に設けられた左右風向偏向板１５や上下風向偏向板１６により空気の流れを偏向されて、室内ユニット１の空気吹出し口８から室内に吹き出されてくる。これを繰り返すことにより室内の温湿度条件が調和され、室内を生活に快適な環境に調和してゆくことになる。
【００２１】
このとき、エアフィルター１７は室内ユニット１が吸い込んだ空気中の塵埃を取り除く部品なので、取り除いた塵埃がエアフィルター１７の表面に集積するため定期的に清掃して、元のきれいな状態に戻す必要がある。塵埃の集積したエアフィルター１７を清掃するときに、第１に、化粧カバー３を取り外してエアフィルター１７を取り外すか、第２に、化粧カバー３は取り外さずに化粧カバー３にスリットを設けてそのスリットからエアフィルター１７を引き出すか、第３に、化粧カバー３に開閉可能に組み込んだフロントパネル６を開放してエアフィルター１７を取り外す等の方法がある。
【００２２】
本実施例は最後に説明した開閉可能に組み込んだフロントパネル６を有する化粧カバー３における化粧枠本体５とユニット箱体４の取付けに関するものである。図２に示すように化粧カバー３は化粧枠本体５とフロントパネル６とで構成されていて、化粧枠本体５は上部には、化粧枠本体５をユニット箱体４に係合させるための突起１９およびのフロントパネル６の回転支軸１８を受ける支軸受けが設けられており、中央部にはエアフィルター１７を取り付ける装着部および室内空気の吸い込み部があり、そして下部には室内ユニット１の内部で温湿度を調和された室内空気を吹き出す空気吹出し口８が設けられている。
【００２３】
空気吹出し口８が化粧枠本体５の下部のほぼ全幅にわたって設けられているので、化粧枠本体５の最下部に相当する空気吹出し口８の下側の下部枠９は細長い棒状の構造にならざるをえなくなっている。
【００２４】
フロントパネル６は回転支軸１８を化粧カバー５の支軸受けに係合させて、図２の位置（ａ）と位置（ｂ）間を開閉可能な状態で化粧枠本体５に装着されている。通常、空気調和機を運転しているときはフロントパネル６を位置（ｂ）の状態で使用しているが、空気調和機を長い間運転していて、エアフィルター１７に空気中から取り除いた塵埃が付着してエアフィルター１７の表面に塵埃が多くなった場合には、フロントパネル６を位置（ａ）に開放することによりエアフィルター１７をエアフィルター装着部から容易に取り外すことができ、エアフィルター１７を簡単に清掃することができる。フロントパネル６を開放してエアフィルター１７を取り外すことにより、エアフィルター１７の着脱作業が容易となり、またエアフィルター１７の表面に付着した塵埃をエアフィルター１７から落とすことなく、エアフィルター１７を取り外すことができるようになる。
【００２５】
先に説明したように、塵埃の付着したエアフィルター１７を取り外すために化粧カバー３全体を取り外すことは化粧カバー３が大きく面倒であり、化粧枠本体５にエアフィルター取出し用のスリットを設けて、スリットからエアフィルター１７を取り出すのでは、エアフィルター１７の表面に付着した塵埃をスリットでしごき落とすことになり、落ちた塵埃で化粧カバー３の内部を汚すことになる。
【００２６】
本実施例における化粧カバー３のユニット組品２への組み込み方法は次のようになる。まず化粧枠本体５の上部に設けた突起１９をユニット箱体４の係合孔に係合させて引っかけ、フロントパネル６が位置（ｂ）に閉じた場合に外部表面から見えなくなる位置に化粧枠本体５を固定するねじ孔を設けて、ねじ２０で化粧枠本体５をユニット組品２に固定している。化粧枠本体５を固定したねじ２０の頭部はそのまま化粧枠本体５の表面に露出しているが、フロントパネル６を位置（ｂ）に閉じることにより外部表面から遮蔽されて見えなくなる。これにより従来例で説明したねじの頭部を遮蔽するためのカバー部材がいらなくなり、カバー部材を製作するために化粧枠本体５と別個に成形金型を製作する必要が無くなり、部品点数が減少し、組立て効率も向上することになる。
【００２７】
しかし、化粧カバー５の最下部にある空気吹出し口８の下の下部枠９は、空気吹出し口８が化粧カバー５のほぼ幅全長にわたるため細長い棒状の構造となっており、さらに成形時の反りやうねり等が加わるため、化粧枠本体５をユニット組品２にねじで固定しても、下部枠９とユニット箱体４との間に隙間を作らずに係合させることは困難であった。従来例では先に説明したように、下部枠９のねじ固定部にねじ固定用の凹部を設けてねじを締めつけ後、凹部にねじの頭部を遮蔽するカバー部材を嵌合させている。
【００２８】
本実施例では、下部枠９とユニット箱体４との間の隙間を少なくするために、熱交換器１０で凝縮した凝縮水を受ける露受皿１３の底面から支柱１４を突出させてその先端部に図６で示すように下部枠９を押さえる枠押え１４ａを設けている。また支柱１４を所定の位置に固定するため、保持部１４ｂおよび係合部１４ｃを設けている。
【００２９】
以下、図３、図４、図５、図６を用いて、下部枠９と支柱１４の枠押え１４ａおよび保持部１４ｂ、係合部１４ｃの詳細について説明する。本実施例では露受皿１３の底面から支柱１４を一本だけ突出させているが、必要に応じて複数個設けてもかまわない。
【００３０】
下部枠９は先にも説明したように、細長い棒状の構造をしているため成形型の寸法誤差や成形時の温度条件、冷却条件等の影響を受けやすく、成形された化粧枠本体５の下部枠９には微妙な変形等が発生することになる。この微妙な変形により、化粧枠本体５をフロントパネル６で遮蔽される位置に設けたねじ２０で固定しても、下部枠９とユニット箱体４の係合部の間に僅かな隙間が発生して、化粧カバー３の外観意匠を損なうとともに、送風路１２を流れる冷風を下部枠９の内部に流入させて下部枠９の表面に水滴を凝縮させることになる。
【００３１】
一般にプラスチック樹脂等の成形品は成形時の冷却速度の違いにより、成形品の形状に微妙な変形を発生させるものである。下部枠９においては、図４に示すように成形時の冷却速度の関係で表面側のａ、ｂ面が内部側のｃ、ｄ面より先に冷却されるため、二点鎖線で示すように概略Ｌ字状の角度αが若干広がったα’になる傾向にある。しかしその際、表面ｂ側は化粧枠本体５と一体の形状になっているため、角度の広がりの影響は表面ａ側に多く現われることになる。本実施例ではこの僅かな角度の広がり補正するため、下部枠９の背面に係合リブ９ａ、９ｂを設け、この係合リブ９ａ、９ｂに対応するユニット箱体４側には受け溝４ａ、４ｂを設けた。概略Ｌ字状になっている下部枠９の弾性を利用して、係合リブ９ａ、９ｂを受け溝４ａ、４ｂに圧入する形で挿入している。そのため下部枠９の係合リブ９ａ、９ｂの外側表面とユニット箱体４の受け溝４ａ、４ｂの内部表面が密着するので、送風路１２を流れる冷風が下部枠９の内部に侵入するのを防ぐとともに、下部枠９を確実にユニット箱体４に固定することができるようになる。
【００３２】
ユニット箱体４には、下部枠９に設けた係合リブ９ａ、９ｂと対応する位置に、係合リブ９ａ、９ｂを受けいれる受け溝４ａ、４ｂが設けられているが、係合リブ９ａ、９ｂが下部枠９の全幅にわたって設けられているので、それを受ける受け溝４ａ、４ｂも係合リブ９ａ、９ｂの全長にわたって受けられるようになっている。
【００３３】
またユニット箱体４の中央部には、図５を参照して、露受皿１３の底面から突出して設けられた支柱１４の左右方向の位置を固定するため、保持部１４ｂをはめ込む段差４ｃが設けられている。段差４ｃの内部には支柱１４の上下方向の位置を固定する三角形をした板状の固定リブ４ｄが僅かな間隔をおいて２ヶ所設けられている。さらに固定リブ４ｄの下部には支柱１４の前後方向の位置を固定するため、係合部１４ｃに係合する弾性突起４ｅがユニット箱体４から突出して設けられている。
【００３４】
また露受皿１３からは、露受皿１３の底面から突出して支柱１４が設けられ、その支柱１４の先端には図６に示すように、下部枠９の形状に合わせた枠押え１４ａと、保持部１４ｂおよび係合部１４ｃが設けられている。保持部１４ｂはユニット箱体４に設けた三角形の固定リブ４ｄが内側にはまり込む内部空間を有するともに、その先端部から係合部１４ｃが突出している。そしてこれらの部品は次のようにして組立てられる。
【００３５】
まず熱交換器１０をユニット組品２に組み込んだ後、底面に左右風向偏向板１５や上下風向偏向板１６を組み込んだ露受皿１３を熱交換器１０の下部に装着する。そして露受皿１３の底面から突出させた支柱１４の先端に設けた保持部１４ｂをユニット箱体４の段差４ｃに落としこみ、保持部１４ｂの内側に三角形をした固定リブ４ｄを抱え込むようにして、支柱１４をユニット箱体４側に押しつけてゆく。そしてさらに保持部１４ｂの先の係合部１４ｃを、ユニット箱体４から突出している弾性突起４ｅをのり越してユニット箱体４側に押しつけることにより、支柱１４を確実に固定させることができる。すなわち、支柱１４の上下方向の動きは三角形をした固定リブ４ｄで抑制され、前後方向の動きは弾性突起４ｅで抑制され、左右方向の動きは保持部１４ｂが納まる段差４ｃの幅で抑制されているので、支柱１４の動きは確実に抑制されることになる。
【００３６】
露受皿１３の支柱１４を固定した後に、化粧カバー３を取り付けることになる。化粧枠本体５の上部の突起１９をユニット箱体４に係合させた後、フロントパネル６の背面に設けたねじ孔を利用して化粧枠本体５をねじ２０で固定する。そして化粧枠本体５の概略Ｌ字状をした下部枠９の端部から突出している係合リブ９ａ、９ｂをユニット箱体４の受け溝４ａ、４ｂに嵌合させながら、下部枠９の上面を支柱１４の枠押え１４ａとユニット箱体４で構成される空間に挿入してゆくことになる。
【００３７】
このとき先に説明したように下部枠９の概略Ｌ字状をした角度は、成形時の冷却条件等により当初規定の角度αより若干広いα’になっている。したがって下部枠９のそれぞれの端部から突出した係合リブ９ａ、９ｂは、ユニット箱体４の受け溝４ａ、４ｂの間に角度を補正する形で挿入されることになる。しかし係合リブ９ｂ側は化粧枠本体５の外部表面と同一面を形成しているため、広がった角度の変形は係合リブ９ａ側に多くあらわれることになるので、係合リブ９ｂ側を基準にして係合リブ９ａ側を補正する形で挿入することになる。その係合リブ９ａの反発力をユニット本体４の受け溝４ｂと支柱１４に設けた枠押え１４ａで抑制するため、下部枠９とユニット本体４の間に隙間を作ることなく、係合リブ９ａは受け溝４ｂと枠押え１４ａで構成する空間に固定されることになる。
【００３８】
下部枠９とユニット箱体４との間に隙間ができないので、送風路１２を流れる冷風が隙間を通して下部枠９の内部に進入するがない。そしてさらに下部枠９の後部に突出した係合リブ９ａが、ユニット箱体４の受け溝４ａと押しつけ合う形で当接しているため、仮に下部枠９とユニット箱体４との間に隙間ができても、送風路１２を流れる冷風が下部枠９の内部に侵入することがなく、したがって下部枠９の表面に水滴を凝縮させることがない。
【００３９】
従来例では棒状に細長い下部枠を固定するためにねじを使用していたので、外部表面から固定したねじの頭部が直接見えることになる。そこでねじの頭部を外部表面から遮蔽するために、下部枠のねじ固定部にねじ固定用の凹部を設け、その凹部の中でねじを使用して下部枠を固定し、外部表面から見えるねじの頭部は別個に製作したカバー部材を凹部に嵌合させることによりねじの頭部を遮蔽していた。上述の説明で分かるようにカバー部材は外部表面から直接眼で見える意匠部品なので、カバー部材を下部枠に設けた凹部に挿入させたときに隙間なく勘合し、また色調も違和感なく統一させなければならない。
【００４０】
化粧カバーと別個にねじの頭部を遮蔽するカバー部材を製作するためには、まずカバー部材を製作する成形金型を作る必要があり、またその成形金型も下部枠の凹部と隙間なく嵌合させるために精度の高い金型製作技術が要求され、さらに下部枠の色調とカバー部材の色調を一致させるためにはレベルの高い成形技術が要求されることになる。このことは製品価格を高くする要因になっている。
【００４１】
また組立て工程においても下部枠をねじで固定した後、下部枠の凹部にカバー部材を挿入するという作業が加わり、組立て作業の効率を阻害する要因になっている。また部品点数が増えることにより、部品管理、工程管理の手数が増えやはり製品価格を押し上げることになる。
【００４２】
しかし本実施例では下部枠９を、概略Ｌ字状をした下部枠９のそれぞれの端部から下部枠９の後部に係合用の係合リブ９ａ、９ｂを設け、その下部枠９の係合リブ９ａ、９ｂを受ける受け溝４ａ、４ｂをユニット箱体４に設けて係合させ、露受皿１３の底面から突出させた支柱１４の先端部に設けた枠押え１４ａで下部枠９を押えるように固定するので、ユニット箱体４と化粧枠本体５とをきれいに係合（隙間の防止）することができる。ねじや余分な部品を使用する必要はないが、ねじを使用しても差し支えない。
【００４３】
本実施例では化粧枠本体５を固定するためにフロントパネル６で隠れる部分にねじ２０を２本使用しているが、下部枠９を固定するためにねじを使用していない。また化粧枠本体５を固定しているねじ２０はフロントパネル６で遮蔽されるので、余分なカバー部材を使用していない。したがって余分なねじを締めつける作業や、ねじを締めつけた後ねじの頭部を遮蔽するカバー部材を挿入する作業がないため、作業時間を短縮することができ、組立て効率を向上させることができる。カバー部材を作るために別個に成形金型を作る必要がなく、また精度の高い金型製作技術や成形技術を必要としないので、製品価格を安くすることができる。
【００４４】
以上の説明で分かるように、本実施例の露受皿１３には図７に示すように、左右風向偏向板１５や上下風向偏向板１６が一体に組み込まれており、それらの部品が組み込まれた露受皿１３をねじを使用しないでユニット箱体２に組み込んでいるので、左右風向偏向板１５や上下風向偏向板１６、送風路１２が塵埃等で汚れた場合には、化粧枠本体５を固定している２本のねじ２０を外すだけで露受皿１３と一緒に左右風向偏向板１５や上下風向偏向板１６を取り出すことができ、左右風向偏向板１５や上下風向偏向板１６および送風路１２の汚れを簡単に清掃することができる。
【００４５】
以上説明したように、本実施例によれば次のような効果が期待される。
【００４６】
化粧カバーの化粧枠本体をユニット箱体に固定するねじの個定位置を、開閉可能に装着したフロントパネルで遮蔽される化粧枠本体の面に設けているので、ねじの頭部を遮蔽するカバー部材等を使用しないですみ、また化粧枠本体下側の下部枠を固定するためにはねじを使用しないで、ユニット箱体の前面および露受皿の底面から突出させた支柱で下部枠を所定の位置に固定しているので、カバー部材等の余分な部品を必要とせず、したがってカバー部材を取りつける余分な組立て時間を省略することができる。
【００４７】
化粧枠本体下側の下部枠の断面形状を概略Ｌ字状にし、概略Ｌ字状をした下部枠のそれぞれの端面から下部枠の後部に係合リブを設け、下部枠と当接するユニット本体側に係合リブを受ける受け溝を設け、それぞれの係合リブとそれぞれの受け溝を係合させたことにより、下部枠とユニット本体の係合を確実なものにして、送風路を流通する冷風を下部枠内に流入させることがないので、下部枠の表面に水滴を凝縮させることがない。
【００４８】
下部枠の形状に合わせた枠押えを、露受皿の底面から突出させた支柱の先端部に設けているので、下部枠を所定の位置に確実に固定することができる。
【００４９】
露受皿の底面から突出させた支柱の先端部にユニット箱体に設けた支柱受けを抱え込む支柱固定部を設け、さらにその先端に係合突起を設けてユニット箱体から突出させた弾性突起に係合させているので、露受皿および露受皿の底面から突出させた支柱を所定の位置に確実に固定させ屡ことができる。
【００５０】
露受皿の底面に左右風向偏向板および上下風向偏向板を組み込んだ露受皿ねじを使わずに組み込んでいるので、露受皿や左右風向偏向板、上下風向偏向板、送風路が汚れたときに、道具を使用しないで露受皿や左右風向偏向板、上下風向偏向板を露受皿に取り付けた状態で容易に取り外すことができる。
【００５１】
【発明の効果】
以上本発明によれば、化粧枠を取り付けているねじを遮蔽するカバー部材を省略可能な空気調和機を提供することができる。
【００５２】
また、本発明によれば、熱交換器及びファンを搭載したユニット箱体と、このユニット箱体に搭載されたものを覆う化粧枠本体とを備えた空気調和機において、化粧枠本体の下側に設けた空気吹出し口の下の下部枠と、ユニット箱体前面下部との係合部で隙間の発生を低減することが可能な空気調和機を提供することができる。
【図面の簡単な説明】
【図１】本発明による空気調和機の室内ユニットの外観図。
【図２】室内ユニットの一実施例における側断面図。
【図３】下部枠と支柱とユニット箱体との係合部説明図。
【図４】下部枠とユニット箱体との係合部説明図。
【図５】支柱とユニット箱体との係合部説明図。
【図６】支柱先端部の外観図。
【図７】露受皿に風向偏向板を組み込んだ説明図。
【符号の説明】
１…空気調和機、２…ユニット組品、３…化粧カバー、４…ユニット箱体、５…化粧枠本体、６…フロントパネル、７…空気吸込み口、８…空気吹出し口、９…下部枠、１０…熱交換器、１１…送風機、１２…送風路、１３…露受皿、１４…支柱、１５…左右風向偏向板、１６…上下風向偏向板、１７…エアフィルター、１８…回転支軸、１９…突起、２０…ねじ
【図１】
2004183988.tif 000003
【図２】
2004183988.tif 000004
【図３】
2004183988.tif 000005
【図４】
2004183988.tif 000006
【図５】
2004183988.tif 000007
【図６】
2004183988.tif 000008
【図７】
2004183988.tif 000009